(57)【要約】【課題】絞り部材における絞り口径の個数を増やしつつも全体の小型化等を図る。【解決手段】カメラ本体１０、前記カメラ本体から繰り出すレンズ鏡筒ＬＵ、絞り機構を備えた絞り機構付きカメラにおいて、絞り機構として、複数の絞り開口を有し光軸に平行な回転軸回りに回動自在でレンズ鏡筒と一体的に光軸方向に移動する円盤状の絞り部材５０、カメラ本体に対して光軸回りに回動自在に配置された手動操作環２０、手動操作環の回動動作を絞り部材の回動動作に変換して連動させる連動機構（２７，５１，６０）、絞り部材を複数の絞り開口の各々の絞り位置に保持し得るクリック機構（７０，７１）、クリック機構による保持を解除した際に所定の絞り値を設定する初期位置に手動操作環を自動的に回転復帰させる復帰バネ３０を採用する。これによれば、絞り部材において口径の異なる絞り開口の個数を増加しつつもレンズ鏡筒等の小型化を達成できる。【選択図】図５
2014059349.tif 000002
【特許請求の範囲】
【請求項１】
外輪郭を画定するカメラ本体と、撮影時に前記カメラ本体からレンズの光軸方向に繰り出した状態に位置するレンズ鏡筒と、撮影時に所定の絞り値に設定し得る絞り機構と、を備えた絞り機構付きカメラであって、
前記絞り機構は、光軸に平行な回転軸を中心に周方向に配列された複数の絞り開口を有すると共に前記回転軸回りに回動自在でかつ前記レンズ鏡筒と一体的に光軸方向に移動するべく前記レンズ鏡筒内に配置された円盤状の絞り部材と、前記カメラ本体に対して光軸回りに回動自在に配置された手動操作環と、前記手動操作環の回動動作を前記絞り部材の回動動作に変換して連動させる連動機構と、前記絞り部材を前記複数の絞り開口の各々の絞り位置に保持し得るクリック機構と、前記クリック機構による保持を解除した際に所定の絞り値を設定する初期位置に前記手動操作環を自動的に回転復帰させる復帰バネと、を含む、
ことを特徴とする絞り機構付きカメラ。
【請求項２】
前記連動機構は、前記手動操作環に設けられた円弧状の駆動歯列と、前記絞り部材に設けられた被動歯車と、前記駆動歯列と前記被動歯車の間に介在する歯車列と、を含み、
前記歯車列は、前記被動歯車に噛合すると共に前記レンズ鏡筒と一体的に光軸方向に移動する移動歯車と、前記カメラ本体側に設けられると共に前記レンズ鏡筒の光軸方向における移動範囲に亘って前記駆動歯列及び前記移動歯車と噛合する円柱状の長尺歯車と、を含む、
ことを特徴とする請求項１に記載の絞り機構付きカメラ。
【請求項３】
前記クリック機構は、前記レンズ鏡筒と一体的に光軸方向に移動するべく前記レンズ鏡筒内に設けられて光軸に垂直な面内で揺動するクリックレバーと、前記クリックレバーの係合部が係合し得るべく前記絞り部材の外周に凹状に形成された複数の被係合部と、前記係合部が前記被係合部に係合する向きに前記クリックレバーを回転付勢する付勢バネと、を含み、
前記クリックレバーは、前記レンズ鏡筒の沈胴動作に連動して前記カメラ本体側からカム作用を受け、前記付勢バネの付勢力に抗しつつ前記係合部が前記被係合部から離脱するように形成されている、
ことを特徴とする請求項１又は２に記載の絞り機構付きカメラ。
【請求項４】
前記手動操作環は、前記絞り部材の複数の絞り開口に対応する絞り設定範囲内に回転が規制され、一方の回転端にて前記初期位置に位置付けられるように形成されている、
ことを特徴とする請求項３に記載の絞り機構付きカメラ。
【請求項５】
前記絞り部材は、前記絞り設定範囲を超えた回転角度の領域でかつ前記初期位置に対応する被係合部に隣接する位置において、組み付け時に前記クリックレバーの係合部を係合させて位置決めする位置決め部を有する、
ことを特徴とする請求項４に記載の絞り機構付きカメラ。
【請求項６】
前記復帰バネは、その一端部が前記手動操作環に掛止され、その他端部が前記カメラ本体に掛止された引張り型のコイルバネである、
ことを特徴とする請求項１ないし５いずれか一つに記載の絞り機構付きカメラ。
【請求項７】
前記復帰バネは、その一端部が前記手動操作環に掛止され、その他端部が前記レンズ鏡筒に掛止された引張り型のコイルバネである、
ことを特徴とする請求項１ないし５いずれか一つに記載の絞り機構付きカメラ。
【発明の詳細な説明】
【技術分野】
【０００１】
本発明は、撮影時に所定の絞り値に設定し得る絞り機構を備えたカメラに関し、特に、撮影時に光軸方向に繰り出した状態となるレンズ鏡筒の内部に配置されてレンズ鏡筒と一体的に光軸方向に移動すると共に複数の絞り開口を有する絞り部材、絞り部材を手動により操作する手動操作部材等を含む絞り機構を備えた絞り機構付きカメラに関する。
【背景技術】
【０００２】
従来の絞り機構付きカメラとしては、カメラ本体（前カバー、後カバー等）、撮影の際にカメラ本体から光軸方向に繰り出すレンズ鏡筒、カメラ本体に設けられたフラッシュ，フラッシュ受光窓，及び被写界輝度を測光する測光部、レンズ鏡筒内に設けられて複数（４つ）の絞り開口を有すると共に所定軸回りに揺動する絞り部材、絞り部材をそれぞれの絞り位置において保持するクリックレバー、カメラ本体の上面に回動自在に設けられた絞り設定操作子（手動操作部材）、絞り部材と絞り設定操作子とを機械的に連結すると共に絞り設定操作に応じて絞り部材を所定の絞り位置に移動させる連結部材等を備え、絞り部材はレンズ鏡筒の沈胴動作により所定開口の絞り値に復帰すると共に、絞り設定操作子はレンズ鏡筒の沈胴動作により絞り部材を所定開口の絞り位置に設定する位置又は姿勢に復帰するように構成されたものが知られている（例えば、特許文献１を参照）。
【０００３】
しかしながら、この絞り機構付きカメラにおいては、絞り部材が光軸に垂直な平面内で揺動する略扇状のものであるため、口径の異なる絞り開口をさらに追加する場合、絞り部材自体（の中心角）を大きくする必要があり又その揺動角度が大きくなり、レンズ鏡筒の大型化を招くことになる。
また、絞り設定操作子はカメラ本体の上面において光軸と捩れた位置にある軸を中心に回転するものであり、一方、絞り部材は光軸に垂直な平面内において揺動するものであるため、絞り設定操作子の操作を絞り部材に伝達して連動させるには、動作方向が異なる複数の連結部材（直線的に往復動する操作杆、所定軸回りに回動する複数の連結ギヤ等）が必要であり、構造の複雑化、大型化等を招いていた。
さらに、従来の絞り機構付きカメラにおいては、絞り設定操作子に大きな負荷が加わった場合、絞り部材と絞り設定操作子との間の連結部材が破損する虞があるため、その破損を防止する対策を講じる必要があり、又、組み付け作業の容易化等を図る必要があった。
【先行技術文献】
【特許文献】
【０００４】
【特許文献１】特開２００２−３５０９５４号公報
【発明の概要】
【発明が解決しようとする課題】
【０００５】
本発明は、上記の事情に鑑みて成されたものであり、その目的とするところは、構造の簡素化、部品点数の削減、低コスト化等を図りつつ、絞り部材において口径の異なる絞り開口の個数を増加しつつも小型化を図れ、又、組み付け作業の容易化、機能上の信頼性の向上、手動による絞り操作時の負荷低減による操作性の向上等を図れる絞り機構付きカメラを提供することにある。
【課題を解決するための手段】
【０００６】
本発明の絞り機構付きカメラは、外輪郭を画定するカメラ本体と、撮影時にカメラ本体からレンズの光軸方向に繰り出した状態に位置するレンズ鏡筒と、撮影時に所定の絞り値に設定し得る絞り機構と、を備えた絞り機構付きカメラであって、上記絞り機構は、光軸に平行な回転軸を中心に周方向に配列された複数の絞り開口を有すると共に回転軸回りに回動自在でかつレンズ鏡筒と一体的に光軸方向に移動するべくレンズ鏡筒内に配置された円盤状の絞り部材と、カメラ本体に対して光軸回りに回動自在に配置された手動操作環と、手動操作環の回動動作を絞り部材の回動動作に変換して連動させる連動機構と、絞り部材を複数の絞り開口の各々の絞り位置に保持し得るクリック機構と、クリック機構による保持を解除した際に所定の絞り値を設定する初期位置に手動操作環を自動的に回転復帰させる復帰バネとを含む、ことを特徴としている。
この構成によれば、レンズ鏡筒が繰り出した状態において、手動操作環が初期位置から一方向に回転させられると、連動機構を介して、絞り部材が回転軸回りに回転して、適宜所定の絞り口径が光軸上に臨む位置（所定の絞り位置）に位置付けられ、又、クリック機構により絞り部材がそれぞれの絞り位置に保持される。一方、（例えば、レンズ鏡筒の沈胴動作に連動して）クリック機構による保持が解除されると、手動操作環は復帰バネの付勢力により初期位置に復帰し、連動機構を介して、絞り部材は所定の絞り開口に対応する絞り値（頻繁に使用される絞り値）に自動的に設定される。
このように、絞り機構として、光軸に平行な回転軸回りに回動する円盤状の絞り部材、光軸回りに回動する手動操作環を採用したことにより、絞り機構の光軸周りにおける集約化、構造の簡素化、部品点数の削減、レンズ鏡筒の小型化等を達成しつつ、従来に比べて絞り部材に設ける絞り開口の個数を増やすことができ、それ故に、より広範囲で所望の絞り値を設定することができる。
【０００７】
上記構成において、連動機構は、手動操作環に設けられた円弧状の駆動歯列と、絞り部材に設けられた被動歯車と、駆動歯列と被動歯車の間に介在する歯車列とを含み、歯車列は、被動歯車に噛合すると共にレンズ鏡筒と一体的に光軸方向に移動する移動歯車と、カメラ本体側に設けられると共にレンズ鏡筒の光軸方向における移動範囲に亘って駆動歯列及び移動歯車と噛合する円柱状の長尺歯車とを含む、構成を採用することができる。
この構成によれば、手動操作環を回動させると、その駆動歯列に噛合した長尺歯車が回動し、長尺歯車に噛合した移動歯車を介して被動歯車が回動し、被動歯車と一体的に絞り部材が回転軸回りに回動する。ここで、長尺歯車は、レンズ鏡筒の光軸方向における移動範囲に亘って駆動歯列及び移動歯車と噛合しているため、レンズ鏡筒の沈胴状態から繰り出し状態に至る全域において、手動操作環の回動動作を絞り部材の回動動作に確実に変換して連動させることができる。
また、連動機構として、歯車機構を採用したことにより、部品の集約化、小型化等を達成することができる。
【０００８】
上記構成において、クリック機構は、レンズ鏡筒と一体的に光軸方向に移動するべくレンズ鏡筒内に設けられて光軸に垂直な面内で揺動するクリックレバーと、クリックレバーの係合部が係合し得るべく絞り部材の外周に凹状に形成された複数の被係合部と、係合部が被係合部に係合する向きにクリックレバーを回転付勢する付勢バネとを含み、クリックレバーは、レンズ鏡筒の沈胴動作に連動してカメラ本体側からカム作用を受け、付勢バネの付勢力に抗しつつ係合部が被係合部から離脱するように形成されている、構成を採用することができる。
この構成によれば、レンズ鏡筒が沈胴した状態においては、クリックレバー（の係合部）が絞り部材（の被係合部）から離脱して絞り部材の保持が解除されているため、手動操作環は復帰バネの付勢力により初期位置に復帰すると共に、絞り部材は（所定の絞り値を設定する）所定の絞り開口が光軸上に位置付けられ、一方、レンズ鏡筒が沈胴状態から繰り出した状態になると、カメラ本体側のカム作用が解除されてクリックレバーは付勢バネの付勢力によりその係合部が絞り部材の（初期位置における）絞り開口に対応する被係合部に係合し、手動操作環の回転角度に応じて、係合部が適宜異なる被係合部に係合することで、適宜所定の絞り値（所定の絞り開口）となるように絞り部材が保持される。
このように、クリック機構を介して絞り部材を所定の絞り位置に自動的に保持することができる。
【０００９】
上記構成において、手動操作環は、絞り部材の複数の絞り開口に対応する絞り設定範囲内に回転が規制され、一方の回転端にて初期位置に位置付けられるように形成されている、構成を採用することができる。
この構成によれば、手動操作環は、絞り設定範囲内に回転が規制されているため、無理な回転力が手動操作環に加えられても、手動操作環は規制された範囲を超えて回転することができず、それ故に、連動機構を介して絞り部材に対し絞り設定範囲を超えるような駆動力が伝達されるのを防止でき、絞り機構の破損を防止でき、所期の絞り機能を保証することができる。また、手動操作環を、復帰バネの付勢力により一方の回転端に向けて回転復帰させ、初期位置に自動的に位置決めすることができる。
【００１０】
上記構成において、絞り部材は、絞り設定範囲を超えた回転角度の領域でかつ初期位置に対応する被係合部に隣接する位置において、組み付け時にクリックレバーの係合部を係合させて位置決めする位置決め部を有する、構成を採用することができる。
この構成によれば、クリックレバーの係合部が絞り部材の位置決め部に係合する状態で、絞り部材、連動機構（歯車列等）、クリック機構（クリックレバー、付勢バネ）等をレンズ鏡筒に組み込むことにより、初期位置に対応する絞り開口が光軸上に位置するように、容易に位置合わせでき、それ故に、組み付け作業を容易に行うことができる。
【００１１】
上記構成において、復帰バネは、その一端部が手動操作環に掛止され、その他端部がカメラ本体に掛止された引張り型のコイルバネである、構成を採用することができる。
この構成によれば、復帰バネを手動操作環に設けた領域（例えば円弧状の凹部空間）に配置することができ、全体として部品の集約化、小型化等を達成することができる。
【００１２】
上記構成において、復帰バネは、その一端部が手動操作環に掛止され、その他端部がレンズ鏡筒に掛止された引張り型のコイルバネである、構成を採用することができる。
この構成によれば、光軸方向における相対的な距離が変化する手動操作環とレンズ鏡筒との間で復帰バネが伸縮自在に設けられているため、レンズ鏡筒が繰り出し状態に位置するときの復帰バネの付勢力（バネ力量）を、レンズ鏡筒が沈胴した状態に位置するときの復帰バネの付勢力（バネ力量）よりも小さくすることができる。したがって、レンズ鏡筒の繰り出し状態においてはクリックレバーを付勢する付勢バネの付勢力を小さく設定しつつもクリックによる保持力を確保することができ、それ故に、手動による絞り操作時の負荷を低減して操作性を向上させることができ、一方、クリック保持を必要としないレンズ鏡筒の沈胴状態においては復帰バネに適正な付勢力を発生させて手動操作環を初期位置に確実に復帰させて保持することができる。
【発明の効果】
【００１３】
上記構成をなす絞り機構付きカメラによれば、構造の簡素化、部品点数の削減、低コスト化等を達成しつつ、絞り部材において口径の異なる絞り開口の個数を増加しつつも小型化を達成でき、又、組み付け作業の容易化、機能上の信頼性の向上、手動による絞り操作時の負荷低減による操作性の向上等を達成することができる。
【図面の簡単な説明】
【００１４】
【図１】本発明に係る絞り機構付きカメラの一実施形態を示すものであり、（ａ）はレンズ鏡筒が沈胴した状態を示す外観斜視図であり、（ｂ）はレンズ鏡筒が繰り出した状態を示す外観斜視図である。
【図２】図１に示す絞り機構付きカメラの分解斜視図である。
【図３】図１に示す絞り機構付きカメラに含まれるカメラ本体（前側カバー）、手動操作環、及び復帰バネを示す分解斜視図である。
【図４】図１に示す絞り機構付きカメラに含まれるカメラ本体（前側カバー）、手動操作環、及び復帰バネを示す正面図及びその部分拡大図である。
【図５】図１に示す絞り機構付きカメラに含まれる手動操作環、復帰バネ、絞り部材、連動機構の一部、及びクリック機構を正面側から見た斜視図である。
【図６】図１に示す絞り機構付きカメラに含まれる手動操作環、絞り部材、連動機構の一部、及びクリック機構を背面側から見た斜視図である。
【図７】図１に示す絞り機構付きカメラに含まれるレンズ鏡筒を示すものであり、（ａ）はその外観斜視図であり、（ｂ）はその外筒部を省いた外観斜視図であり、（ｃ）はその外筒部及び前側カバーを省いた外観斜視図である。
【図８】図１に示す絞り機構付きカメラに含まれるレンズ鏡筒の（外筒部を省略した）分解斜視図である。
【図９】図７（ｃ）に示すレンズ鏡筒において、組み付け時に、絞り部材の位置決め部にクリックレバーの係合部が係合した状態を示す正面図である。
【図１０】図７（ｃ）に示すレンズ鏡筒において、組み付け後に、クリックレバーが付勢バネの付勢力により回転して、絞り部材の被係合部にクリックレバーの係合部が係合した状態を示す正面図である。
【図１１】図１に示す絞り機構付きカメラ内に配置されるカメラユニットの一部を示すものであり、レンズ鏡筒（外筒部、前側カバー等を省略）が沈胴状態にある斜視図である。
【図１２】図１に示す絞り機構付きカメラ内に配置されるカメラユニットの一部を示すものであり、レンズ鏡筒（外筒部、前側カバー等を省略）が繰り出し途中状態にある斜視図である。
【図１３】図１に示す絞り機構付きカメラ内に配置されるカメラユニットを示す（レンズ鏡筒が沈胴した状態の）外観斜視図である。
【図１４】図１に示す絞り機構付きカメラ内に配置されるカメラユニットを示す（レンズ鏡筒が繰り出した状態の）外観斜視図である。
【図１５】図１に示す絞り機構付きカメラに含まれるレンズ鏡筒の繰り出し機構を示す分解斜視図である。
【図１６】本発明に係る絞り機構付きカメラの他の実施形態を示すものであり、そのレンズ鏡筒を示す外観斜視図である。
【図１７】図１６に示す実施形態におけるカメラユニット（一部を省略）を示すものであり、（ａ）はレンズ鏡筒が沈胴した状態を示す斜視図であり、（ｂ）はレンズ鏡筒が繰り出した状態を示す斜視図である。
【図１８】図１６に示す実施形態における手動操作環、復帰バネ、絞り部材、連動機構の一部、及びクリック機構を示すものであり、（ａ）はそれらを正面側から見た斜視図であり、（ｂ）はそれらを背面側から見た斜視図である。
【発明を実施するための形態】
【００１５】
以下、本発明の実施形態について、添付図面を参照しつつ説明する。
この実施形態に係る絞り機構付きカメラは、インスタント写真用のフィルムユニットが装填されるインスタントカメラであり、図１ないし図４に示すように、外輪郭を画定するカメラ本体１０、カメラ本体１０の外部に取り付けられて絞り機構の一部をなす手動操作環２０、手動操作環２０とカメラ本体１０との間に掛止されて手動操作環２０を初期位置（デフォルト位置）に復帰させる絞り機構の一部をなす復帰バネ３０、撮影時にカメラ本体１０から光軸Ｌ方向に繰り出した状態に位置するレンズ鏡筒ＬＵ（絞り機構の一部をなす絞り部材５０，連動機構の一部（歯車列６０のうちの移動歯車６１，６２，６３），クリック機構の一部をなすクリックレバー７０及び付勢バネ７１等を含む）、カメラ本体１０内に固定されると共にレンズ鏡筒ＬＵ及び繰り出し機構９０（押しボタン９１，ボタンガイド９２，戻しバネ９３，繰り出しレバー９４，トグルバネ９５，カバー９６を含む）を保持するカメラユニットＣＵ（ユニットベース８０を含む）、カメラユニットＣＵに組み付けられるファインダユニットＦＵ、光学ユニットＯＵ及びフラッシュＦを実装してカメラ本体１０内に配置される回路基板ＣＢ等を備えている。
【００１６】
カメラ本体１０は、図１ないし図４に示すように、手動操作環２０を回動自在に支持する前側カバー１１、前側カバー１１に着脱自在に結合される後側カバー１２、後側カバー１２に着脱自在に結合されるバッテリカバー１３により構成されており、ファインダ窓１０ａ、レリーズボタンＲＢ用の開口１０ｂ、フラッシュ窓１０ｃ、受光窓１０ｄ，１０ｅ、フィルムユニットの排出口１０ｆ、繰り出し機構９０に含まれる押しボタン９１を往復動自在にガイドするガイド部１０ｇ等を備えている。
前側カバー１１は、図３に示すように、手動操作環２０をバヨネット構造（凹凸嵌合及び回転連結構造）により嵌め込んで光軸Ｌ回りに回動自在に支持する支持部１１ａ、絞り部材５０の５つの絞り開口５２ａ，５２ｂ，５２ｃ，５２ｄ，５２ｅがそれぞれ光軸Ｌ上に臨む位置にあるときに対応する絞り位置指標１１ｂ，１１ｃ，１１ｄ，１１ｅ，１１ｆ、手動操作環２０を絞り設定範囲内に回転規制する規制壁１１ｇ、復帰バネ３０の他端部３２を掛止する掛止突起１１ｈ等を備えている。
【００１７】
手動操作環２０は、図３ないし図６に示すように、円環状に形成されており、復帰バネ３０を伸縮自在に円弧状に収容する凹部２１、復帰バネ３０の一端部３１を掛止する掛止突起２２、復帰バネ３０の他端部３２を前側カバー１１の掛止突起１１ｈに掛止した状態で掛止突起１１ｈの相対的な移動を許容する円弧状の貫通孔２３、絞り位置指標２４、規制壁１１ｇに当接し得る当接部２５、ユニットベース８０の規制壁８２ｇ（図１３ないし図１５を参照）に当接し得る当接部２６、径方向の内側を向くように円弧状に形成された駆動歯列２７等を備えている。
そして、手動操作環２０は、操作者が指等で直接掴んで光軸Ｌ回りに回転させることにより、駆動歯列２７と噛合する（連動機構の一部をなす）歯車列６０を介して、絞り部材５０を適宜所定の絞り位置に位置付けるようになっている。また、手動操作環２０は、当接部２５と規制壁１１ｇとの関係及び当接部２６と規制壁８２ｇとの関係により、絞り部材５０の複数（５つ）の絞り開口５２ａ，５２ｂ，５２ｃ，５２ｄ，５２ｅに対応する絞り設定範囲内に回転が規制され、一方の回転端（図４に示すように当接部２５が規制壁１１ｇに当接する位置）にて、所定の絞り値（頻繁に使用される絞り値）を設定する初期位置（デフォルト位置）に位置付けられるようになっている。
このように、手動操作環２０は絞り設定範囲内に回転が規制されているため、無理な回転力が手動操作環２０に加えられても、手動操作環２０は規制された範囲を超えて回転することができず、それ故に、連動機構を介して絞り部材５０に対し絞り設定範囲を超えるような駆動力が伝達されるのを防止でき、絞り機構の破損を防止でき、所期の絞り機能を保証することができる。
【００１８】
復帰バネ３０は、図３及び図４に示すように、その一端部３１が手動操作環２０の掛止突起２２に掛止され、その他端部３２がカメラ本体１０（前側カバー１１の掛止突起１１ｈ）に掛止された引張り型のコイルバネである。
そして、復帰バネ３０は、クリック機構（クリックレバー７０、付勢バネ７１等）による絞り部材５０のクリック保持を解除した際に、所定の絞り値（頻繁に使用される絞り値）を設定する初期位置、ここでは、絞り位置指標１１ｂに絞り位置指標２４が一致する位置に、手動操作環２０を自動的に回転復帰させる付勢力を及ぼすものである。
このように、復帰バネ３０は、手動操作環２０に設けた凹部２１の領域に配置されるため、全体として部品の集約化、小型化等を達成することができ、手動操作環２０を復帰バネ３０の付勢力により一方の回転端に向けて回転復帰させ、初期位置に自動的に位置決めすることができる。
【００１９】
レンズ鏡筒ＬＵは、図７及び図８に示すように、レンズＧ１及びレンズ押え４１を前側に組み込む前側カバー４２、レンズＧ２及びレンズ押え４３を後側に組み込む鏡筒ベース４４、鏡筒ベース４４の周りに配置される外筒部４５、鏡筒ベース４４の内部に配置されるスペーサ部材４６、スペーサ部材４６に対して回動自在に支持されて絞り機構の一部をなす円盤状の絞り部材５０、鏡筒ベース４４及びスペーサ部材４６に設けられて連動機構の一部をなす移動歯車６１，６２，６３、鏡筒ベース４４及び前側カバー４２に設けられたクリック機構の一部をなすクリックレバー７０及び付勢バネ７１、シャッタ部材ＳＭ１，シャッタ歯車ＳＭ２，及びシャッタバネＳＭ３を含み鏡筒ベース４４に設けられたシャッタ機構ＳＭ、外筒部４５の前側に設けられたバリヤ機構ＢＭ等を備えている。
【００２０】
鏡筒ベース４４は、図７及び図８に示すように、光を通す開口４４ａ、カメラユニットＣＵのユニットベース８０に形成されたガイド溝８２ａに挿入されて光軸Ｌ方向にガイドされる複数の突出部４４ｂ、付勢バネ７１の他端部７１ｂを掛止する掛止部４４ｃ等を備えている。
スペーサ部材４６は、図８に示すように、光を通す開口４６ａ、絞り部材５０を光軸Ｌに垂直な面内で回動自在に支持するべく光軸Ｌに平行な回転軸４６ｂ、移動歯車６３を回動自在に支持する支軸４６ｃ等を備えている。
【００２１】
絞り部材５０は、図５、図６、図９ないし図１２に示すように、円盤状に形成されて、スペーサ部材４６の回転軸４６ｂ回りに回動自在に支持されかつレンズ鏡筒ＬＵと一体的に光軸Ｌ方向に移動するべくレンズ鏡筒ＬＵ内に配置されており、光軸Ｌに平行な回転軸４６ｂを通す中心孔５１ａを画定する被動歯車５１（図６参照）、回転軸４６ｂを中心に周方向に配列された複数（５つ）の絞り開口５２ａ，５２ｂ，５２ｃ，５２ｄ，５２ｅ、５つの絞り開口５２ａ，５２ｂ，５２ｃ，５２ｄ，５２ｅにそれぞれ対応して外周に凹状に形成されクリックレバー７０の係合部７０ａが離脱可能に係合し得る５つの被係合部５３ａ，５３ｂ，５３ｃ，５３ｄ，５３ｅ、絞り設定範囲を超えた回転角度の領域でかつ初期位置に対応する被係合部５３ａに隣接する位置において組み付け時にクリックレバー７０の係合部７０ａを係合させて位置決めする位置決め部５４等を備えている。
【００２２】
歯車列６０は、図７ないし図１２に示すように、レンズ鏡筒ＬＵと一体的に光軸Ｌ方向に移動するべくレンズ鏡筒ＬＵに保持された移動歯車６１，６２，６３と、カメラ本体１０に固定された（カメラユニットＣＵの）ユニットベース８０に保持されて光軸Ｌ方向に長尺な円柱状をなす長尺歯車６４により構成されている。
移動歯車６１は、図７（ａ）に示すように、レンズ鏡筒ＬＵの外筒部４５から一部が露出するように配置されて、図５及び図６に示すように、長尺歯車６４と移動歯車６２に噛合するように形成されている。
移動歯車６２は、図７（ｃ）に示すように、光軸Ｌ方向に長尺に形成され、レンズ鏡筒ＬＵの鏡筒ベース４４の外周領域に配置されて、図５及び図６に示すように、移動歯車６１と移動歯車６３に噛合するように形成されている。
移動歯車６３は、図５、図６、図８ないし図１０に示すように、レンズ鏡筒ＬＵのスペーサ部材４６の前面に設けられた支軸４６ｃに支持されると共に絞り部材５０の背後に配置されて、図６に示すように、移動歯車６２と被動歯車５１に噛合するように形成されている。
長尺歯車６４は、図１１ないし図１４に示すように、カメラユニットＣＵのユニットベース８０（カメラ本体１０側）に対して一部が露出するように配置されて、レンズ鏡筒ＬＵの光軸Ｌ方向における移動範囲に亘って手動操作環２０の駆動歯列２７と移動歯車６１に噛合するように形成されている。
【００２３】
すなわち、手動操作環２０に設けられた円弧状の駆動歯列２７、絞り部材５０に設けられた被動歯車５１、駆動歯列２７と被動歯車５１の間に介在する歯車列６０（移動歯車６１，６２，６３，長尺歯車６４）により、手動操作環２０の回動動作を絞り部材５０の回動動作に変換して連動させる連動機構が構成されている。
そして、手動操作環２０を回動させると、駆動歯列２７に噛合した長尺歯車６４が回動し、長尺歯車６４に噛合した移動歯車６１及び移動歯車６２，６３を介して被動歯車５１が回動し、被動歯車５１と一体的に絞り部材５０が回転軸４６ｂ回りに回動するようになっている。ここで、長尺歯車６４は、レンズ鏡筒ＬＵの光軸Ｌ方向における移動範囲に亘って駆動歯列２７及び移動歯車６１と常時噛合しているため、レンズ鏡筒ＬＵの沈胴状態から繰り出し状態に至る全域において、手動操作環２０の回動動作を絞り部材５０の回動動作に確実に変換して連動させることができる。また、連動機構として、歯車機構を採用したことにより、部品の集約化、小型化等を達成することができる。
【００２４】
クリックレバー７０は、図５、図６、図７（ｃ）、図８ないし図１２に示すように、光軸Ｌ方向に伸長すると共に光軸Ｌに垂直な方向に屈曲する略Ｌ字状に形成され、レンズ鏡筒ＬＵ（前側カバー４２、鏡筒ベース４４）に対して光軸Ｌに平行な軸線回りに揺動自在に支持され、絞り部材５０（の被係合部５３ａ，５３ｂ，５３ｃ，５３ｄ，５３ｅ、組み付け時においてのみ位置決め部５４）に離脱可能に係合し得るローラ状の係合部７０ａ、付勢バネ７１の一端部７１ａを掛止する掛止部７０ｂ、カメラ本体１０に固定されたカメラユニットＣＵ（ユニットベース８０）のカム部８２ｂに係合し得るフォロワ部７０ｃを備えている。
付勢バネ７１は、図５、図６、図７（ｃ）に示すように、捩りバネであり、その一端部７１ａがクリックレバー７０の掛止部７０ｂに掛止され、その他端部７１ｂが鏡筒ベース４４の掛止部４４ｃに掛止され、クリックレバー７０の係合部７０ａが絞り部材５０の被係合部５３ａ，５３ｂ，５３ｃ，５３ｄ，５３ｅに係合する向きに、クリックレバー７０を回転付勢するように形成されている。
そして、クリックレバー７０は、レンズ鏡筒ＬＵと一体的に光軸Ｌ方向に移動するべくレンズ鏡筒ＬＵ内に設けられて光軸Ｌに垂直な面内で揺動すると共に、レンズ鏡筒ＬＵが図１２に示す繰り出し側の位置から図１１に示す沈胴位置に沈胴することにより、カメラ本体１０に固定されたユニットベース８０のカム部８２ｂにより（すなわちカメラ本体１０から）カム作用を受けて、付勢バネ７１の付勢力に抗しつつ、係合部７０ａが、係合している被係合部５３ａ，５３ｂ，５３ｃ，５３ｄ，５３ｅのいずれか一つから離脱するように形成されている。
【００２５】
すなわち、係合部７０ａを有するクリックレバー７０、絞り部材５０の外周に凹状に形成された複数（５つ）の被係合部５３ａ，５３ｂ，５３ｃ，５３ｄ，５３ｅ、及び付勢バネ７１により、絞り部材５０を複数（５つ）の絞り開口５２ａ，５２ｂ，５２ｃ，５２ｄ，５２ｅの各々の絞り位置に保持し得るクリック機構が構成されている。
ここで、付勢バネ７１の付勢力（バネ力量）は、絞り部材５０をクリック保持した状態において、手動操作環２０が復帰バネ３０の付勢力により初期位置に復帰しないように、復帰バネ３０の付勢力（バネ力量）よりも大きく設定されている。
【００２６】
カメラユニットＣＵは、図１３及び図１４に示すように、カメラ本体１０の内部に固定されるユニットベース８０、ユニットベース８０に対して光軸Ｌ方向に繰り出し及び沈胴自在に設けられたレンズ鏡筒ＬＵ、レンズ鏡筒ＬＵを光軸Ｌ方向（の前方）に繰り出すための繰り出し機構９０等を備えている。
ユニットベース８０は、図１３及び図１４に示すように、略矩形のベース部８１、ベース部８１の前側に結合される筒状のバレル部８２等により構成されている。
バレル部８２は、図１１、図１２、図１５に示すように、レンズ鏡筒ＬＵの突出部４４ｂを光軸Ｌ方向にガイドする複数のガイド溝８２ａ、クリックレバー７０のフォロワ部７０ｃに対してカム作用を及ぼすカム部８２ｂ、トグルバネ９５の他端部９５ｂを掛止する掛止突起８２ｃ、繰り出しレバー９４を回動自在に支持する支軸８２ｄ、カバー９６をネジにより締結する３つのボス部８２ｅ、ボタンガイド９２の端部を嵌め込む嵌合穴８２ｆ、手動操作環２０が初期位置から一方側に回転したときにその当接部２６が当接して回転端を規制する規制壁８２ｇ、レンズ鏡筒ＬＵの光軸Ｌ方向における沈胴位置を規定する沈胴側ストッパ（不図示）及びレンズ鏡筒ＬＵの光軸Ｌ方向における繰り出し位置を規定する繰り出し側ストッパ（不図示）等を備えている。
カム部８２ｂは、レンズ鏡筒ＬＵが沈胴する際に、クリックレバー７０のフォロワ部７０ｃにカム作用を及ぼして、係合部７０ａが絞り部材５０から離脱するように付勢バネ７１の付勢力に抗してクリックレバー７０を回転させ、一方、レンズ鏡筒ＬＵが沈胴状態から繰り出す際に、クリックレバー７０のフォロワ部７０ｃに対するカム作用を解除して、クリックレバー７０が付勢バネ７１の付勢力により回転して係合部７０ａが絞り部材５０に係合するのを許容するように形成されている。
【００２７】
上記構成によれば、レンズ鏡筒ＬＵが沈胴した状態においては、図１１に示すように、クリックレバー７０（の係合部７０ａ）が絞り部材５０（の被係合部５３ａ，５３ｂ，５３ｃ，５３ｄ，５３ｅ）から離脱して絞り部材５０の保持が解除されているため、手動操作環２０は復帰バネ３０の付勢力により初期位置に復帰すると共に、絞り部材５０は（所定の絞り値を設定する）所定の絞り開口５２ａが光軸Ｌ上に位置付けられる。
一方、レンズ鏡筒ＬＵが沈胴状態から繰り出すと、図１２に示すように、カメラ本体１０（に固定されたユニットベース８０）のカム作用が解除されてクリックレバー７０は付勢バネ７１の付勢力によりその係合部７０ａが絞り部材５０の絞り開口５２ａに対応する被係合部５３ａに係合し、その後、手動操作環２０の必要に応じた（測光情報に基づいた）回転操作により、係合部７０ａが適宜異なる被係合部５３ｂ，５３ｃ，５３ｄ，５３ｅに係合しつつ対応する絞り開口５２ｂ，５２ｃ，５２ｄ，５２ｅとなる絞り位置に適宜位置付けられて、所定の絞り値を設定するように絞り部材５０が保持される。
このように、クリック機構（クリックレバー７０，付勢バネ７１等）を介して絞り部材５０を所定の絞り位置に自動的に保持することができる。
また、絞り部材５０は、絞り設定範囲を超えた回転角度の領域でかつ初期位置に対応する被係合部５３ａに隣接する位置において、組み付け時にクリックレバー７０の係合部７０ａを係合させて位置決めする位置決め部５４を有するため、図９に示すように、クリックレバー７０の係合部７０ａが絞り部材５０の位置決め部５４に係合する状態で、絞り部材５０、連動機構（歯車列６０等）、クリック機構（クリックレバー７０、付勢バネ７１）等をレンズ鏡筒ＬＵに組み込むことにより、図１０に示すように、初期位置に対応する絞り開口５２ａが光軸Ｌ上に位置するように、容易に位置合わせでき、それ故に、組み付け作業を容易に行うことができる。
【００２８】
繰り出し機構９０は、図１３ないし図１５に示すように、操作者が押す押しボタン９１、押しボタン９１を光軸Ｌ方向に往復動自在にガイドするボタンガイド９２、ボタンガイド９２の周りに配置されて押しボタン９１を押される前の突出位置に戻す付勢力を及ぼす戻しバネ９３、押しボタン９１に連動して光軸Ｌに垂直な軸線（支軸８２ｄ）回りに揺動する繰り出しレバー９４、レンズ鏡筒ＬＵを沈胴位置と繰り出し位置とにそれぞれ保持する付勢力を及ぼすトグルバネ９５、繰り出しレバー９４を脱落しないように規制しつつ覆うカバー９６等を備えている。
【００２９】
押しボタン９１は、図１５に示すように、繰り出しレバー９４のＵ字状連結部９４ｂに連結される連結部９１ａを備えており、前側カバー１１のガイド部１１ｇ及びボタンガイド９２により、光軸Ｌ方向に往復動自在にガイドされると共に抜け落ちないように組み付けられて、操作者が指等で押込んで繰り出し操作を行うことができるように形成されている。
ボタンガイド９２は、図１５に示すように、その後端部がバレル部８２の嵌合穴８２ｆに嵌合されて組み付けられ、その前端側から戻しバネ９３が組み付けられ、さらに押しボタン９１が組み付けられるように形成されている。
戻しバネ９３は、図１５に示すように、圧縮型のコイルバネであり、ボタンガイド９２の周りに組み込まれて、押しボタン９１を光軸Ｌ方向の前方側（繰り出し側）に向けて付勢するように形成されている。
繰り出しレバー９４は、図１５に示すように、バレル部８２の支軸８２ｄに嵌め込まれて支持される円孔９４ａ、押しボタン９１の連結部９１ａに連結されるＵ字状連結部９４ｂ、レンズ鏡筒ＬＵの突出部４４ｂに対して光軸Ｌ方向の後方側から離脱可能に係合する係合部９４ｃを備えている。
トグルバネ９５は、図１１ないし図１４に示すように、コイル型の捩りバネであり、その一端部９５ａがレンズ鏡筒ＬＵの突出部４４ｂに掛止され、その他端部９５ｂがバレル部８２の掛止突起８２ｃに掛止され、図１１及び図１３に示すように、レンズ鏡筒ＬＵが沈胴位置にあるときレンズ鏡筒ＬＵを沈胴状態に保持するように付勢力を及ぼし、一方、図１２及び図１４に示すように、レンズ鏡筒ＬＵが繰り出し位置にあるときレンズ鏡筒ＬＵを繰り出し状態に保持するように付勢力を及ぼすように形成されている。
カバー９６は、図１３ないし図１５に示すように、繰り出しレバー９４が支軸８２ｄに嵌め込まれて支持された状態で、繰り出しレバー９４を外側から覆うように配置されて脱落を規制するべく、ネジ等によりバレル部８２に締結されるように形成されている。
【００３０】
すなわち、上記繰り出し機構９０においては、図１（ａ）、図１１及び図１３に示すようにレンズ鏡筒ＬＵが沈胴位置にある（レンズ鏡筒ＬＵはユニットベース８０の一部に当接しトグルバネ９５の付勢力により沈胴位置に停止して保持されている）状態から、操作者が押しボタン９１を押し込むと、繰り出しレバー９４が一方向に回転して、その係合部９４ｃが突出部４４ｂを光軸Ｌ方向の前方に向けて押すことでレンズ鏡筒Ｌが繰り出され、その後、トグルバネ９５の（逆向きに切り替わった）付勢力により、図１２及び図１４に示すようにレンズ鏡筒ＬＵは繰り出し側に保持されると共に、操作者が押しボタン９１から指を離すと、戻しバネ９３の付勢力により押しボタン９１は元の突出状態に戻ると同時に、繰り出しレバー９４は押しボタン９１に連動して逆向きに回転して突出部４４ｂから離脱する。これにより、レンズ鏡筒ＬＵの繰り出し動作が完了する。
一方、レンズ鏡筒ＬＵを沈胴位置に戻す場合は、操作者が指等でレンズ鏡筒ＬＵを直接押し込むことにより、トグルバネ９５の付勢力の向きが切り替わり、レンズ鏡筒ＬＵは沈胴位置に位置付けられて保持されることになる。
【００３１】
上記構成においては、絞り部材５０、手動操作環２０、連動機構（駆動歯列２７、被動歯車５１、歯車列６０）、クリック機構（クリックレバー７０、付勢バネ７１）、復帰バネ３０により、撮影時に所定の絞り値に設定し得る絞り機構が構成されている。
このように、絞り機構として、光軸Ｌに平行な回転軸４６ｂ回りに回動する円盤状の絞り部材５０、光軸Ｌ回りに回動する手動操作環２０等を採用したことにより、絞り機構の光軸Ｌ周りにおける集約化、構造の簡素化、部品点数の削減、レンズ鏡筒ＬＵの小型化等を達成しつつ、従来に比べて絞り部材５０に設ける絞り開口５２ａ，５２ｂ，５２ｃ，５２ｄ，５２ｅの個数を増やすことができ、それ故に、より広範囲で所望の絞り値を設定することができる。
【００３２】
次に、上記絞り機構付きカメラの絞り機構等の動作について説明する。
先ず、絞り機構付きカメラにおいて、撮影しない休止状態において、図１（ａ）及び図１３に示すように、レンズ鏡筒ＬＵはカメラ本体１０内に沈胴した状態にあり、レンズＧ１はバリヤ機構ＢＭにより閉塞されている。
また、この沈胴状態において、クリックレバー７０は、付勢バネ７１の付勢力に抗してカメラ本体１０（のバレル部８２のカム部８２ｂ）からカム作用を受けて、図１１に示すように絞り部材５０から離脱した状態にあり、手動操作環２０は復帰バネ３０の付勢力により初期位置に復帰させられると共に当接部２５が規制壁１１ｇに当接して位置決めされ、絞り位置指標２４がカメラ本体１０の絞り位置指標１１ｂに一致している。
このとき、絞り部材５０は、連動機構（駆動歯列２７、被動歯車５１、歯車列６０）を介して、図１０及び図１１に示すように、その絞り開口５２ａが光軸Ｌ上に臨む位置に位置付けられて保持されている。すなわち、初期位置においては、絞り位置指標２４と絞り位置指標１１ｂとが一致し、絞り部材５０の絞り開口５２ａが光軸Ｌ上に臨む位置に位置付けられている。
【００３３】
続いて、撮影を行う際には、操作者が押しボタン９１を押すと、繰り出し機構９０の繰り出し動作により、図１（ｂ）及び図１４に示すように、レンズ鏡筒ＬＵがカメラ本体１０から繰り出すと共に、クリックレバー７０は、カメラ本体１０（のバレル部８２のカム部８２ｂ）のカム作用から解放されて、付勢バネ７１の付勢力により、図１０及び図１２に示すように絞り部材５０の被係合部５３ａに係合して、絞り部材５０をクリック力にて保持する。尚、レンズ鏡筒ＬＵの繰り出し動作に連動して、バリヤ機構ＢＭは開き動作を行ってレンズＧ１を露出させる。
【００３４】
続いて、カメラ本体１０に設けられた光学ユニットＯＵにより被写界輝度が測定されて、必要な絞り値の情報が得られると、その情報に応じて、操作者が手動操作環２０を初期位置から回転させることで、適宜必要な絞り値を設定することができる。
ここでは、手動操作環２０を所定角度回転させて、絞り位置指標２４を絞り位置指標１１ｃに位置させると、絞り部材５０は、連動機構を介して、その絞り開口５２ｂが光軸Ｌ上に臨む位置に回転すると共にクリックレバー７０の係合部７０ａが被係合部５３ｂに係合してクリック保持される。
また、手動操作環２０をさらに所定角度回転させて、絞り位置指標２４を絞り位置指標１１ｄに位置させると、絞り部材５０は、連動機構を介して、その絞り開口５２ｃが光軸Ｌ上に臨む位置に回転すると共にクリックレバー７０の係合部７０ａが被係合部５３ｃに係合してクリック保持される。
手動操作環２０をさらに所定角度回転させて、絞り位置指標２４を絞り位置指標１１ｅに位置させると、絞り部材５０は、連動機構を介して、その絞り開口５２ｄが光軸Ｌ上に臨む位置に回転すると共にクリックレバー７０の係合部７０ａが被係合部５３ｄに係合してクリック保持される。
手動操作環２０をさらに所定角度回転させて、絞り位置指標２４を絞り位置指標１１ｆに位置させると、絞り部材５０は、連動機構を介して、その絞り開口５２ｅが光軸Ｌ上に臨む位置に回転すると共にクリックレバー７０の係合部７０ａが被係合部５３ｅに係合してクリック保持される。
【００３５】
一方、絞り部材５０がいずれかの絞り位置にある状態において、操作者がレンズ鏡筒Ｌを押し込んで沈胴させると、図１１及び図１３に示すように、この沈胴動作に連動してクリックレバー７０のフォロワ部７０ｃがカメラ本体１０（バレル部８２のカム部８２ｂ）からカム作用を受けて、クリックレバー７０の係合部７０ａが絞り部材５０から離脱してクリック機構による保持が解除され、手動操作環２０は、復帰バネ３０の付勢力により、所定の絞り値を設定する初期位置、すなわち、絞り部材５０の絞り開口５２ａが光軸Ｌ上の臨む位置でかつ絞り位置指標２４が絞り位置指標１１ｂに一致する位置に、自動的に回転復帰する。尚、レンズ鏡筒ＬＵの沈動動作に連動して、バリヤ機構ＢＭは閉じ動作を行ってレンズＧ１を覆う。
【００３６】
このように、絞り機構として、光軸Ｌに平行な回転軸４６ｂ回りに回動する円盤状の絞り部材５０、光軸Ｌ回りに回動する手動操作環２０を採用したことにより、絞り機構の光軸Ｌ周りにおける集約化、構造の簡素化、部品点数の削減、低コスト化、レンズ鏡筒ＬＵの小型化等を達成しつつ、従来に比べて絞り部材に設ける絞り開口の個数を増やすことができ、それ故に、より広範囲で所望の絞り値を設定することができ、さらには、組み付け作業の容易化、機能上の信頼性の向上等を達成することができる。
【００３７】
図１６ないし図１８は、本発明に係る絞り機構付きカメラの他の実施形態を示すものであり、レンズ鏡筒ＬＵ´、バレル部８２´、復帰バネ３０´を変更して、復帰バネ３０´の掛止方法を変更した以外は前述の実施形態と同一であり、同一の構成については同一の符号を付して説明を省略する。
この実施形態において、レンズ鏡筒ＬＵ´に含まれる鏡筒ベース４４´は、図１６及び図１７に示すように、復帰バネ３０´の他端部３２を掛止する掛止部４４ｄを備えている。また、バレル部８２´は、図１７に示すように、復帰バネ３０´の途中領域を光軸Ｌに垂直な平面内から光軸Ｌ方向に摺接させつつ方向変換させる方向変換部８２ｈを備えている。
【００３８】
すなわち、この実施形態においては、復帰バネ３０´は、図１８に示すように、光軸Ｌに垂直な平面上において凹部２１に収容されると共にその一端部３１が手動操作環２０（の掛止突起２２）に掛止され、その途中領域が方向変換部８２ｈにより屈曲されて光軸Ｌ方向に伸長するように方向変換されると共にその他端部３２がレンズ鏡筒ＬＵ´（の鏡筒ベース４４´の掛止部４４ｄ）に掛止された引張り型のコイルバネである。
これによれば、レンズ鏡筒ＬＵ´が図１７（ａ）に示すように沈胴状態にあるときは、復帰バネ３０´が引っ張られて付勢力が高められ、一方、レンズ鏡筒ＬＵ´が図１７（ｂ）に示すように繰り出し状態にあるときは、復帰バネ３０´が縮められて付勢力が弱められるようになっている。
【００３９】
このように、光軸Ｌ方向における相対的な距離が変化する手動操作環２０とレンズ鏡筒ＬＵ´との間で復帰バネ３０´が伸縮自在に設けられているため、レンズ鏡筒ＬＵ´が繰り出し状態に位置するときの復帰バネ３０´の付勢力（バネ力量）を、レンズ鏡筒ＬＵ´が沈胴した状態に位置するときの復帰バネ３０´の付勢力（バネ力量）よりも小さくすることができ、それ故に、レンズ鏡筒ＬＵ´の繰り出し状態においてはクリックレバー７０を付勢する付勢バネ７１の付勢力を小さく設定しつつもクリックによる保持力を確保することができ、一方、クリック保持を必要としないレンズ鏡筒ＬＵ´の沈胴状態においては復帰バネ３０´に適正でより大きな付勢力を発生させて手動操作環２０を初期位置に確実に復帰させて保持することができる。
これにより、レンズ鏡筒ＬＵ´が繰り出した状態において、手動による絞り操作の負荷を低減でき、手動操作環２０の回転操作性を向上させることができる。
【００４０】
上記実施形態においては、絞り機構に含まれる連動機構として、歯車機構（駆動歯列２７、被動歯車５１、歯車列６０）を採用した場合を示したが、これに限定されるものではなく、光軸Ｌ回りに回動する手動操作環と光軸Ｌに平行な回転軸回りに回転する絞り部材との間で駆動力を伝達し得る機構であれば、その他の連動機構を採用することができる。
上記実施形態においては、レンズ鏡筒ＬＵ，ＬＵ´を繰り出すための繰り出し機構９０を備えた構成において本発明を採用した場合を示したが、これに限定されるものではなく、レンズ鏡筒を操作者が指等で掴んで繰り出させる構成において本発明を採用することもできる。
上記実施形態においては、絞り部材５０において、５つの絞り開口５２ａ，５２ｂ，５２ｃ，５２ｄ，５２ｅ及び５つの被係合部５３ａ，５３ｂ，５３ｃ，５３ｄ，５３ｅを採用した場合を示したが、これに限定されるものではなく、それ以上の個数の絞り開口及び被係合部を備えた絞り部材を採用してもよい。
上記実施形態においては、クリック機構として、クリックレバー７０及び付勢バネ７１を採用した場合を示したが、これに限定されるものではなく、絞り部材を複数の絞り開口の各々の絞り位置に保持し得るものであれば、その他の構成をなすクリック機構を採用してもよい。
【産業上の利用可能性】
【００４１】
以上述べたように、本発明に係る絞り機構付きカメラは、構造の簡素化、部品点数の削減、低コスト化等を達成しつつ、絞り部材において口径の異なる絞り開口の個数を増加しつつも小型化を達成でき、又、組み付け作業の容易化、機能上の信頼性の向上、手動による絞り操作時の負荷低減による操作性の向上等を達成することができるため、インスタントカメラに限らず、絞り機構を搭載するその他のカメラ、光学機器等においても有用である。
【符号の説明】
【００４２】
Ｌ  光軸
ＬＵ，ＬＵ´  レンズ鏡筒
ＣＵ  カメラユニット
ＣＢ  回路基板
ＯＵ  光学ユニット
ＦＵ  ファインダユニット
Ｆ  フラッシュ
ＲＢ  レリーズボタン
１０  カメラ本体
１０ａ  ファインダ窓
１０ｂ  開口
１０ｃ  フラッシュ窓
１０ｄ，１０ｅ  受光窓
１０ｆ  排出口
１０ｇ  ガイド部
１１  前側カバー
１１ａ  支持部
１１ｂ，１１ｃ，１１ｄ，１１ｅ，１１ｆ  絞り位置指標
１１ｇ  規制壁
１１ｈ  掛止突起
１２  後側カバー
１３  バッテリカバー
２０  手動操作環
２１  凹部
２２  掛止突起
２３  貫通孔
２４  絞り位置指標
２５，２６  当接部
２７  駆動歯列（連動機構）
３０，３０´  復帰バネ
３１  一端部
３２  他端部
４１  レンズ押え
Ｇ１  レンズ
４２  前側カバー
４３  レンズ押え
Ｇ２  レンズ
４４  鏡筒ベース
４４ａ  開口
４４ｂ  突出部
４４ｃ  掛止部
４４ｄ  掛止部
４５  外筒部
４６  スペーサ部材
４６ａ  開口
４６ｂ  回転軸
４６ｃ  支軸
５０  絞り部材（絞り機構）
５１  被動歯車（連動機構）
５１ａ  中心孔
５２ａ，５２ｂ，５２ｃ，５２ｄ，５２ｅ  絞り開口
５３ａ，５３ｂ，５３ｃ，５３ｄ，５３ｅ  被係合部（クリック機構）
５４  位置決め部
６０  歯車列（連動機構）
６１，６２，６３  移動歯車（歯車列）
６４  長尺歯車（歯車列）
７０  クリックレバー（クリック機構）
７０ａ  係合部
７０ｂ  掛止部
７０ｃ  フォロワ部
７１  付勢バネ（クリック機構）
７１ａ  一端部
７１ｂ  他端部
８０  ユニットベース
８１  ベース部
８２，８２´  バレル部
８２ａ  ガイド溝
８２ｂ  カム部
８２ｃ  掛止突起
８２ｄ  支軸
８２ｅ  ボス部
８２ｆ  嵌合穴
８２ｇ  規制壁
８２ｈ  方向変換部
９０  繰り出し機構
９１  押しボタン
９１ａ  連結部
９２  ボタンガイド
９３  戻しバネ
９４  繰り出しレバー
９４ａ  円孔
９４ｂ  Ｕ字状連結部
９４ｃ  係合部
９５  トグルバネ
９５ａ  一端部
９５ｂ  他端部
９６  カバー
【図１】
2014059349.tif 000003
【図２】
2014059349.tif 000004
【図３】
2014059349.tif 000005
【図４】
2014059349.tif 000006
【図５】
2014059349.tif 000007
【図６】
2014059349.tif 000008
【図７】
2014059349.tif 000009
【図８】
2014059349.tif 000010
【図９】
2014059349.tif 000011
【図１０】
2014059349.tif 000012
【図１１】
2014059349.tif 000013
【図１２】
2014059349.tif 000014
【図１３】
2014059349.tif 000015
【図１４】
2014059349.tif 000016
【図１５】
2014059349.tif 000017
【図１６】
2014059349.tif 000018
【図１７】
2014059349.tif 000019
【図１８】
2014059349.tif 000020
【手続補正書】
【提出日】平成24年11月9日(2012.11.9)
【手続補正１】
【補正対象書類名】図面
【補正対象項目名】全図
【補正方法】変更
【補正の内容】
【図１】
2014059349.tif 000021
【図２】
2014059349.tif 000022
【図３】
2014059349.tif 000023
【図４】
2014059349.tif 000024
【図５】
2014059349.tif 000025
【図６】
2014059349.tif 000026
【図７】
2014059349.tif 000027
【図８】
2014059349.tif 000028
【図９】
2014059349.tif 000029
【図１０】
2014059349.tif 000030
【図１１】
2014059349.tif 000031
【図１２】
2014059349.tif 000032
【図１３】
2014059349.tif 000033
【図１４】
2014059349.tif 000034
【図１５】
2014059349.tif 000035
【図１６】
2014059349.tif 000036
【図１７】
2014059349.tif 000037
【図１８】
2014059349.tif 000038